(57)【要約】      （修正有）【課題】物干し竿フック開閉固定器具（以下固定器具）を物干し竿に圧着固定し、物干し竿に対して洗濯ピッチを有し多角形及び円形中折れ式枠器具（以下枠器具）を、フック器具に対して傾きを無くした洗濯ハンガーの提供。【解決手段】可動止め器具と三段の凹凸部と回転部を有した固定器具１により、洗濯ハンガーを太さの違う物干し竿に開閉圧着固定する。回転部により物干し竿に対して枠器具２０を回転させ平行直角方向に固定する。左右の吊り下げ棒器具１６の上底部の垂直線上に上底部を一辺とした正方形の口の字状突出部を設け、上底部を回転部底部左右に可動連結し、下底部を枠器具の左右の横骨枠の上下両端寄りに可動連結する。上底部を支点として口の字状突出部を回転部側面に垂直に接触させる事により、左右の吊り下げ棒器具が外側には動かず内側に動く構造として、物干し竿に対して枠器具を使用時水平固定させ、未使用時中折れ吊り下げ収納する。【選択図】図１
2010214103.tif 000002
【特許請求の範囲】
【請求項１】
洗濯ピッチを有した洗濯ハンガーを、物干し竿に開閉固定する物干し竿フック開閉固定器具の形状及び構造として、内径が物干し竿の外径に対応し平行方向側面に前記物干し竿の外径に対応した連結口を有した半円筒を固定フックとする、前記固定フック連結口に対応した半円筒を可動フックとする、前記固定フック連結口上部先端断面の左右両端と前記可動フック平行方向上部先端断面の左右両端寄りに円筒を設け、丸棒を通して前記固定フックと前記可動フックを可動連結する、尚前記可動連結部を前記固定フック連結口上部及び前記可動フック上部とする、前記可動フック外周中央の平行方向左右に円筒を設け、丸棒による支点部輪と力点部輪と作用点部輪を有した可動止め器具の支点部輪上部を可動連結する、前記固定フック連結口下部の外周中央に山と谷を形成した三段の凹凸部を設ける、前記力点部輪を下げて前記作用点部輪を物干し竿の太さに合わせ前記凹凸部に掛け前記力点部輪を上げる事により、前記固定フックと前記可動フックの内周にゴム状の滑り止めシートを設け前記物干し竿に圧着固定する、前記物干し竿フック開閉固定器具に対して洗濯ピッチを有し左右の横縦骨枠の形状が対称した多角形及び円形中折れ式枠器具を回転させ平行直角方向に固定する為に、前記固定フック底部外周中央に下部を一段目として上部を二段目とした階段状円柱の前記階段状円柱二段目上部を二本のネジにより固定する、前記階段状円柱一段目底部の平行直角方向に縦長の楕円の窪みを設ける、円筒の内径が前記階段状円柱一段目の外径に対応し前記円筒の上部先端と下部先端を円柱とした回転部を設ける、前記回転部上部円柱に前記階段状円柱二段目の外周に対応した穴を空け前記回転部上部円柱を前記階段状円柱二段目に差し込み前記回転部を回転させる、前記回転部下部円柱底部外側の左右に円筒型の吊り下げ棒器具可動連結部を設ける、前記回転部側面の直角方向に前記階段状円柱一段目底部の縦長の楕円の窪みに対応した縦長の楕円の穴を二カ所設ける、前記回転部側面の平行方向に鍵状の楕円の穴を二カ所設ける、内径が前記回転部の外径に対応し二本の丸棒を有したリンク状円筒を前記回転部側面の上部寄りに設ける、前記リンク状円筒側面の直角方向に横長の楕円の穴を二カ所設け、前記階段状円柱一段目底部の縦長の楕円の窪みと前記回転部側面の直角方向の縦長の楕円の穴に対応させて丸棒を通し、前記リンク状円筒を上に上げ前記リンク状円筒上部を前記固定フック底部に接触させ直角方向の丸棒により前記階段状円柱に対して前記回転部を連結して平行直角方向に固定する、前記リンク状円筒を下に下げ前記階段状円柱に対して前記回転部を分離して前記回転部を回転させる、前記リンク状円筒側面の下部寄り平行方向に二カ所の丸穴を空け前記回転部側面の鍵状の楕円の穴に対応させて丸棒を通し、前記回転部に対して前記リンク状円筒を上下に固定する構造及び構成による、前記物干し竿フック開閉固定器具を特徴とする洗濯ピッチを有した洗濯ハンガー。
【請求項２】
前記物干し竿フック開閉固定器具に対して前記中折れ式枠器具を可動連結し、前記中折れ式枠器具を使用時水平固定し、未使用時中折れ吊り下げ収納する為に、左右の吊り下げ棒器具の基本形状を丸棒の台形とする、前記吊り下げ棒器具上底部の長さを前記物干し竿フック開閉固定器具回転部の直径として、前記回転部下部円柱底部の前記吊り下げ棒器具可動連結部に可動連結する、前記吊り下げ棒器具下底部を横縦骨枠からなる前記中折れ式枠器具の縦骨枠の長さとして、左右の横骨枠の上下両端寄りに可動連結する、前記上底部の垂直線上に前記上底部を一辺とした正方形の口の字状突出部を設ける、前記上底部を支点とし前記口の字状突出部を前記回転部側面に垂直に接触させる事により左右の前記吊り下げ棒器具が外側に動かず内側に動く構造として、構造及び構成された前記吊り下げ棒器具を特徴とする請求項１記載の洗濯ピッチを有した洗濯ハンガー。
【請求項３】
請求項１記載の前記物干し竿フック開閉固定器具と、請求項２記載の前記吊り下げ棒器具と、前記洗濯ピッチを有し左右の横縦骨枠の形状が対称した多角形及び円形中折れ式枠器具により構造及び構成された事を特徴とする請求項１請求項２記載の洗濯ピッチを有した洗濯ハンガー。
【発明の詳細な説明】
【技術分野】
【０００１】  本発明は、洗濯ピッチを有した洗濯ハンガーに関するものである。
【背景技術】
【０００２】  物干し竿フック器具下部に回転部を設け、洗濯ピッチを有した長方形中折れ式枠器具を物干し竿に対して平行直角方向使用でき中折れ吊り下げ収納する洗濯ピッチを有した洗濯ハンガー（特許文献１参照）。【０００３】  洗濯ピッチを有した長方形中折れ式枠器具の左右両端寄りに直接、物干し竿フック器具を設け物干し竿に対して平行方向に水平固定する洗濯ピッチを有した洗濯ハンガーが提案されている。
【先行技術文献】
【０００４】
【特許文献１】特開２００８−０２３３０７号広報
【発明の概要】
【発明が解決しようとする課題】
【０００５】  洗濯ピッチを有した洗濯ハンガー（以下洗濯ハンガー）の、物干し竿フック器具（以下フック器具）と物干し竿との傾きを無くし、フック器具を太さの違う物干し竿に圧着固定する、洗濯ピッチを有し左右の横縦骨枠の形状が対称した多角形及び円形中折れ式枠器具（以下枠器具）をフック器具に対して傾きを無くし使用時水平固定させながら回転させ、平行直角方向水平固定して未使用時中折れ吊り下げ収納する事を目的とする。
【発明を解決するための手段】
【０００６】  本発明の洗濯ハンガーを、フック器具と物干し竿との傾きを無くしフック器具を太さの違う物干し竿に圧着固定する為に、内径を物干し竿の外径に対応し平行方向側面に物干し竿の外径に対応した連結口を有し山と谷を形成した三段の凹凸部を設けた半円筒の固定フックと、固定フックの連結口に対応し支点部輪と力点部輪と作用点部輪を有した可動止め器具を設けた半円筒の可動フックを可動連結した形状及び構造とした物干し竿フック開閉固定器具（以下固定器具）を設ける、固定フックと可動フックの内周にゴム状の滑り止めシートを設け、固定器具を太さの違う物干し竿に圧着固定する。
【０００７】  固定器具に対して枠器具を回転させ平行直角方向に固定する為に、固定フック底部外周中央に下部を一段目として上部を二段目として一段目円柱底部の平行直角方向に窪みを有した階段状円柱を設ける、円筒の内径が階段状円柱一段目の外径に対応し円筒の上部先端と下部先端を円柱とした回転部を設ける、回転部上部円柱に階段状円柱二段目の外周に対応した穴を空け回転部上部円柱を階段状円柱二段目に差し込み回転部を回転させる、回転部下部円柱底部外側に円筒型の吊り下げ棒器具可動連結部を設ける、円筒側面の直角方向に楕円の穴を空け、平行方向に鍵状の楕円の穴を空ける、内径が回転部の外径に対応し二本のストッパー棒を有したリンク状円筒を回転部側面上部寄りに階段状円柱一段目の窪みと回転部側面の穴に対応して設ける、リンク状円筒を上下させ階段状円柱に対して回転部を分離、連結させ、固定器具に対して枠器具を回転させ平行直角方向に固定する。
【０００８】  固定器具に対して枠器具を可動連結し、枠器具を水平固定して中折れ吊り下げ収納する為に、左右の吊り下げ棒器具（以下棒器具）の基本形状を丸棒の台形とする、上底部の長さを回転部の直径とし吊り下げ棒器具可動連結部に可動連結する、下底部を横縦骨枠からなる枠器具の縦骨枠の長さとし左右の横骨枠の上下両端寄りに可動連結する、上底部の垂直線上に上底部を一辺とした正方形の口の字状突出部を設け、上底部を支点として口の字状突出部を回転部側面に垂直に接触させる事により左右の棒器具が外側に動かず内側に動く構造として、固定器具に対して枠器具を水平固定して未使用時中折れ吊り下げ収納する。
【発明の効果】
【０００９】  洗濯ハンガーを太さの違う物干し竿に圧着固定できた、使用時枠器具を水平固定しながら回転し平行直角方向に固定する未使用時中折れ吊り下げ収納するので、洗濯物を洗濯ピッチに取り付ける時、洗濯物の種類、重量にこだわらず、左片方に厚手の衣類を干し時間を置いて右片方に薄手の衣類を干しても、洗濯ハンガーが使用時常時水平固定し、洗濯物を洗濯ピッチに取り付け易く、時間的能率が上がり気持ち良く干す事ができた。
【図面の簡単な説明】
【００１０】
【図１】洗濯ピッチを有した洗濯ハンガー斜視図
【図２】物干し竿フック開閉固定器具構造説明図
【図３】凹凸部及び可動止め器具構造説明図
【図４】固定フックの階段状円柱部及び回転部構造透視説明図
【図５】吊り下げ棒器具斜視図
【図６】水平固定及び中折れ吊り下げ収納状態説明図
【図７】左右の横縦骨枠の形状が対称した多角形及び円形中折式枠器具斜視図
【発明を実施するための最良の形態】
【００１１】  本発明の実施の形態を、図１〜図７に基づき説明する、各器具部分は誇張して図に表示、寸法形状の比較関係等が実物と異なる場合がある。
【実施例１】
【００１２】  図１について、回転部１２を有した固定器具１と口の字状突出部１８を有した棒器具１６により中折式枠器具２０を可動連結した洗濯ハンガー。
【実施例２】
【００１３】  図２について、固定器具１の構造及び構成として、長さ約一〇〇ミリ、内径約三五ミリ、厚み約二ミリ、平行方向側面に長さ約一〇〇ミリ、外周約六〇ミリの物干し竿連結口を有した半円筒を固定フック２とする、固定フック２の連結口に対応した長さ約一〇〇ミリ、内径約三五ミリ、外周約五〇ミリの半円筒を可動フック５とする、固定フック連結口上部先端断面２の左右両端と可動フック平行方向上部先端断面５の左右両端寄りに長さ約一五ミリ、内径約三ミリ、厚み約二ミリの筒４．６を設け直径約二ミリの丸棒を通し可動連結する、可動フック外周中央５の平行方向左右に長さ約一〇ミリ、内径約三ミリ、厚み約二ミリの円筒を設け直径約二ミリの丸棒による支点部輪８と力点部輪９と作用点部輪１０を有した可動止め器具７の支点部輪上部８を可動連結する、固定フック外周底部中央２に二段の階段状円柱１１の上部を二本のネジにより固定させ回転部１２を可動連結する、固定フック連結口下部外周中央２に作用点部輪１０を掛ける山と谷を形成した三段の凹凸部３を設ける、固定フック２と可動フック５の内周にゴム状の滑り止めシートを設け可動止め器具７と三段の凹凸部３により固定フック２と可動フック５を物干し竿に圧着固定する。
【実施例３】
【００１４】  図３について、直径約二ミリの丸棒による可動止め器具７の構造及び構成として、支点部輪８と力点部輪９と作用点部輪１０として、支点部輪上部８を可動フック５に可動連結する、支点部輪下部８に力点部輪上部９を可動連結する、力点部輪９中央上部寄りに凹凸部３の横幅に対応した横幅約一四ミリの作用点部輪１０を可動連結する可動止め器具７、三段の凹凸部３の構造として、山の高さ約六ミリ、山と山の間隔約六ミリを形成した三段の凹凸を有した幅約一〇ミリ、長さ約一八ミリの凹凸部３、可動止め器具７と三段の凹凸部３により、力点部輪９を下げて作用点部輪１０を外径約三五ミリ、約三〇ミリ、約二五ミリの物干し竿の太さに合わせ凹凸部３に掛け力点部輪９を上げる。
【実施例４】
【００１５】  図４について、洗濯ハンガーの回転部１２の構造として、固定フック底部外周中央２に下部一段目を高さ約一〇ミリ、外径約一九ミリとして上部二段目を高さ約五ミリ、外径約一〇ミリとした階段状円柱１１の階段状円柱二段目上部１１を二本のネジにより固定する、階段状円柱一段目底部１１の平行直角方向に長軸約五ミリ、短軸約三ミリの縦長の楕円の窪みを設ける、円筒を高さ約四〇ミリ、外径を約二二ミリ、内径約二〇ミリ、厚み約二ミリとして内径を階段状円柱一段目１１の外径に対応させ円筒の上部先端と下部先端に深さ約五ミリの円柱を設けた円筒を回転部１２とする、回転部上部円柱１２に階段状円柱二段目１１の外周に対応した直径約一一ミリの穴を空け、回転部上部円柱１２を階段状円柱二段目１１に差し込み回転させる、回転部下部円柱底部外側１２の左右に長さを約一五ミリ、内径約五ミリ、厚み約二ミリの円筒型の吊り下げ棒器具可動連結部１５を設ける、回転部上部先端１２より約一〇ミリ下げた側面の直角方向に階段状円柱一段目１１の縦長の楕円の窪みに対応した長軸約一〇ミリ、短軸約三ミリの縦長の楕円の穴を二カ所設ける、回転部上部先端１２より約一五ミリ下げた側面の平行方向に縦長軸約一〇ミリ、短軸約三ミリ、縦長軸の上部に横長軸約一〇ミリ、短軸約三ミリの鍵状の楕円の穴を二カ所設ける、高さ約一七．五ミリ、内径約二三ミリ、厚み約二ミリの内径が回転部１２の外径に対応し直径約二ミリの二本の丸棒を有したリンク状円筒１３を回転部側面上部１２寄りに設ける、リンク状円筒側面１３の上端より約一〇ミリ下に直角方向に長軸約一〇ミリ、短軸約三ミリの横長の楕円の穴を二カ所設け、階段状円柱一段目底部１１の縦長の楕円の窪みと回転部側面１２の直角方向の縦長の楕円の穴に対応させて丸棒を通し、リンク状円筒１３を上に上げリンク状円筒上部１３を固定フック底部２に接触させ丸棒により回転部１２と階段状円柱１１を連結して平行直角方向に固定する、リンク状円筒１３を下に下げ階段状円柱１１に対して回転部１２を分離して回転させる、リンク状円筒側面１３の下端より約二・五ミリ上に平行方向二カ所に直径約三ミリの丸穴を空け回転部側面１２の鍵状の楕円の穴に対応させて丸棒を通し、回転部１２に対してリンク状円筒１３を上下に固定する。
【実施例５】
【００１６】  図５について、固定器具１に対して枠器具２０を可動連結し、枠器具２０を水平固定し中折れ吊り下げ収納する為に、左右の棒器具１６の基本形状を直径約三ミリの丸棒の台形とする、上底部１７の長さを回転部１２の外径に対応した約二二ミリとして吊り下げ棒器具可動連結部１５に可動連結する、下底部１９を横縦骨枠からなる枠器具２０の縦骨枠の長さとして左右の横骨枠の上下両端寄りに可動連結する、上底部１７の垂直線上に上底部１７を一辺とした縦約二二ミリ、横約二二ミリの正方形の口の字状突出部１８を設け、上底部１７を支点として口の字状突出部１８を回転部１２側面に垂直に接触させる。
【実施例６】
【００１７】  図６について、棒器具上底部１７を回転部底部１２に可動連結して、棒器具下底部１９を枠器具２０に可動連結する、使用時上底部１７を支点とし棒器具口の字状突出部１８が回転部側面１２に垂直に接触する事により左右の棒器具１６が外側には動かず内側には動く、例えば固定器具１の回転部１２により物干し竿に対し枠器具２０を平行直角方向に吊るし、枠器具２０の左端側に洗濯物を吊した場合、左端側にかかった重力は、右側の棒器具１６の上底部１７を支点として口の字状突出部１８が回転部側面１２に接触する事により左端側の重力を受け止め、固定器具１に対し使用時枠器具２０を水平固定する、又未使用時左右の棒器具１６を同時に内側に動かす事により枠器具２０を内側に中折れ吊り下げ収納する、使用時枠器具２０の中央の頭を下に押さえ開く。
【実施例７】
【００１８】  図７について、左右の横縦骨枠の形状が対称した多角形及び円形中折れ式枠器具２０。
【符号の説明】
【００１９】  １    物干し竿フック開閉圧着固定器具
２    固定フック
３    固定器具凹凸部
４    固定フック連結口上部筒
５    可動フック
６    可動フック連結口上部筒
７    固定器具可動止め器具
８    可動止め器具支点部輪
９    可動止め器具力点部輪
１０  可動止め器具作用点部輪
１１  固定フック底部階段状円柱部
１２  固定フック回転部
１３  回転部リンク状円筒
１４  リンク状円筒ストッパー棒
１５  吊り下げ棒器具可動連結部
１６  吊り下げ棒器具
１７  吊り下げ棒器具上底部
１８  吊り下げ棒器具口の字状突出部
１９  吊り下げ棒器具下底部
２０  左右の横縦骨枠の形状が対称した多角形及び円形中折れ式枠器具
【図１】
2010214103.tif 000003
【図２】
2010214103.tif 000004
【図３】
2010214103.tif 000005
【図４】
2010214103.tif 000006
【図５】
2010214103.tif 000007
【図６】
2010214103.tif 000008
【図７】
2010214103.tif 000009